(57)【特許請求の範囲】
【請求項１】
圧縮機、凝縮器、膨張弁及び蒸発器からなる冷凍サイクルを有し、冷却ファンと、少なくとも前記保存庫の側面を底部から天井部まで延びるダクトにより冷凍サイクルの凝縮器を冷却し、併せて該側面ダクト内に突出して設けた保存庫攪拌機のモータを冷却する冷却式保存庫において、保存庫の正面にファンモータのメンテナンス用の扉を設けたことを特徴とする凝縮器の冷却構造。
【発明の詳細な説明】
【０００１】
【発明の属する技術分野】
本発明は、屋内に設置される冷却式保存庫において凝縮器、圧縮機を含む機械室が保存庫の天井部に配置されたタイプにおける効率的な凝縮器の冷却方法に関するものである。
【０００２】
【従来の技術】
従来屋内に設置される冷却式保存庫としては、図３及び図４に示すように断熱材で覆われた保存庫１の天井部の正面及び両側面にルーバー２を形成した仕切り板３で機械室４を区画し、該区画された機械室４内に冷凍サイクルの凝縮器５を配置し、凝縮器５の近傍に設置した冷却ファン６でもって機械室正面側から空気を吸引することにより凝縮器５を空冷し、熱交換により加熱された空気を機械室の背面側に吹き出す方式にて冷却している。尚、７は凝縮器５の吸入側に設置したフィルターであり、８は保存庫の脚である。
一般に冷却式保存庫の有効容積を広くとるために機械室を含む保存庫の高さは室内の天井部付近の高さにぎりぎりに設計されている例が多い。また保存庫を設置後の室内を広く取るために保存庫は、壁ぎりぎりに設置されるケースが多い。
さらに室内における気温は均一ではなく、一般的に上方が高く床面付近が一番低いとされている。
【０００３】
【発明が解決しようとする課題】
そのため、従来の機械室を天井部に有する冷却式保存庫では、天井付近の空気を取り入れて凝縮器を冷却する構造であるために凝縮器を思うように冷却できない。また、天井が低いと排熱した空気を再度吸入するショートサイクルが発生するためにさらに冷却効率を低下する場合がある。
さらに、空気フィルターを凝縮器付近に設置している関係から、フィルターの清掃・交換等のメインテナンス作業が高くてしずらいという不都合がある。
また業務用の保存庫はなるべく、運搬しやすいように高さの低いものが求められているが、凝縮器を立てて使用しているためにどうしても高さを低くできないという不都合がある。
そこで本発明は、かかる従来技術の欠点に鑑みなされたもので、室内の一番気温の低いところから空気を取り込み凝縮器を冷却することが可能で、排気した空気がショートサイクルするおそれがなく、フィルター等のメインテナンス作業が楽であると共に機械室の高さを従来よりも低くすることが可能な保存庫を提供することを目的とする。
【０００４】
【課題を解決するための手段】
すなわち本発明は、圧縮機、凝縮器、膨張弁及び蒸発器からなる冷凍サイクルを有し、冷却ファンと、少なくとも前記保存庫の側面を底部から天井部まで延びるダクトにより冷凍サイクルの凝縮器を冷却し、併せて該側面ダクト内に突出して設けた保存庫攪拌機のモータを冷却することを特徴とする冷却式保存庫において、保存庫の正面にファンモータのメンテナンス用の扉を設けたことを特徴とする凝縮器の冷却構造により、冷却効率を向上すると共に攪拌モータの過熱を防止することができ、さらに正面部に扉を設けることにより、攪拌モータのメインテナンス作業を容易にすることができる。また、前記側面ダクトの上部から冷却ファンを介して保存庫天井部に連接した天井ダクトとを配設し、前記天井ダクトの吹出し口を上斜め方向に傾斜させその傾斜した吹出し口にあわせて冷凍サイクルの凝縮器を設置すれば、機械室の高さを低くすると共に、凝縮器により加熱された空気を側面方向に排気することができる。
【０００５】
【作用】
本発明にかかる装置の構造では、側面ダクトの下方部（床面）から室内で一番温度の低い空気を取り入れるように冷却ファンで吸引し、吸引した冷却空気を天井ダクトを介して凝縮器に向けて吹き付ける構造となっている。従って冷却に使用する空気が、室内の最低温度の空気であること及び排気された加熱空気がショートサイクルすることがないことから効率の良い凝縮器の冷却が行われる。
また天井ダクトの上方に吹き出し口を設け、凝縮器を水平に設置したものでは、凝縮器を水平にしたことにより、高さが低いものとなる。
さらに天井ダクトを下流に向けて断面積が広がるテーパー状のもので形成すると共に該ダクトの吹き出し口の外周縁を上斜めに傾斜させ、その傾斜した吹き出し口にあわせて冷凍サイクルの凝縮器を設置したものでは、側面のダクトの大きさ、冷却ファンの大きさに関係なく凝縮器にあわせた吹き出し口を提供できると共に側面方向で斜めに吹き出すことにより熱風が効率よく室内を循環することになり局部的に室温が高くなるのを防ぐことになる。
【０００６】
【発明の実施の形態】
以下に本発明を図示された実施例に従って詳細に説明する。
図１は本発明にかかる第１実施例を示すもので保存庫１のいずれかの側面に床面近傍から保存庫１の天井部付近まで連続する側面ダクト１０が接続されており、該側面ダクト１０の下部開口には空気フィルター１２が装着され、上部開口にはシロッコファン、クロスフローファン等の冷却ファン１４の吸入口が接続されている。冷却ファン１４の排出口にはほぼ水平方向に伸びる天井ダクト１６が連設されており、天井ダクト１６の他端は上方に吹き出し開口を有し、その開口に冷凍サイクルの凝縮器５が水平に設置されている。また側面ダクト１０内には、保存庫内を撹拌するためのモーター１８が保存庫１の側壁から突出して設けられている。
【０００７】
次に図２は本発明にかかる第２実施例を示すもので、前述同様に保存庫１のいずれかの側面に床面近傍から保存庫１の天井部付近まで連続する側面ダクト１０が接続されており、該側面ダクト１０の下端側面部には空気フィルター１２が装着され、上部開口にはシロッコファン、クロスフローファン等の冷却ファン１４の吸入口が接続されている。冷却ファン１４の排出口には下流に向けて断面積が広がるようにテーパー状に形成され、排出口の開口周縁線を上斜めに傾斜させた天井ダクト１７が連設されており、その傾斜した吹き出し口にあわせて冷凍サイクルの凝縮器５が設置されている。尚、２０は凝縮器５の吹き出し下部と仕切り板３とを渡すガイドプレートであり、凝縮器５から排出された空気が留まることなく流れるようにするためのものである。凝縮器を斜め（角度θ）に設置することにより直立させた場合よりも機械室の高さを低くすることができる。
【０００８】
尚、側面ダクト１０の幅は設置する冷却ファンの径により決まり、奥行きは空気を効率良く吸入するためになるべく保存庫の奥行きと同程度することが望ましい。天井ダクトと排出開口部の幅は凝縮器５の幅に合わせて作成し、吸い込み開口部の幅は冷却ファンの排出口の大きさにより設定するものであり、第１実施例の場合であっても水平方向にテーパー状に形成する必要がある。
また、１９は側面ダクト１０の正面部に設けた扉であり、該扉１９の開閉により側面ダクト１０に配置したモータ１８のメインテナンス作業を容易にすることも可能である。また側面ダクト１０内には、図示しないが冷凍サイクルの冷媒配管の他配電盤や、電気配線等を施すことができる。
【０００９】
以上述べた構成において本発明の実施例にかかる装置では、側面ダクト１０の下方（下部又は側面）に設置した空気フィルター１２を介して室内の一番温度の低い床面の空気を冷却ファン１４の駆動により吸い込む。吸い込んだ冷却空気は、冷却ファン１４により天井ダクト１６（又は１７）に向けて吹き出され、天井ダクト１６（又は１７）の吹き出し開口に設置された凝縮器５と熱交換を行い加熱されて凝縮器５の排出側から吹き出される。
ここで第１実施例のものでは、凝縮器５が水平に設置されている関係から室内の天井との間に余裕があり、天井と衝突した後に分散しながら四方八方へ流れていく。
また第２実施例のものでは、凝縮器５が斜めに設置されている関係で保存庫１の側面方向に向けて排出されることになる。尚、いずれの実施例の場合も、側面ダクト１０、冷却ファン１４及び天井ダクト１６，１７が互いに隙間なく結合されているので、凝縮器５から排出された空気がショートサイクルしてダクト１６内に浸入することはなく、常に床付近の冷たい空気が凝縮器５に向けて吹き付けられることになる。
【００１０】
また側面ダクト１０の正面部に扉１９を有するものでは、撹拌モータ１８等が故障した際には、扉１９を開放することによりメインテナンス作業を行えば良い。さらに空気フィルター１２を交換する場合は、フィルター１２が側面ダクト１０の下部に設置されているので、そのまま交換する。
【００１１】
【発明の効果】
以上述べたように本発明にかかる凝縮器の冷却構造は、従来の装置に比較して最も低温である床面付近の空気を取り込んで凝縮器を冷却すると共にショートサイクルを防止する構造であるために、冷却効率が高いものを提供することができる。空気フィルターを側面ダクトの下部に設置するように構成したので、空気フィルターの交換等のメインテナンス作業が容易となる。
また側面ダクト、冷却ファン及び天井ダクトを介して冷却空気を凝縮器に向けて吹き出す構造としているために凝縮器を水平に設置したり、斜めに設置することが可能となり、従来よりも機械室の高さを低くすることが可能となる。
さらに、保存庫全体の高さを従来のものよりも低くすることができるので加熱された空気を均等に分散させることが可能となる。
【図面の簡単な説明】
【図１】  本発明にかかる第１実施例の装置の構造の一部透視正面図である。
【図２】  本発明にかかる第２実施例の装置の構造の一部透視正面図である。
【図３】  従来技術を示す装置の正面図である。
【図４】  従来技術を示す装置の一部透視側面図である。
【符号の説明】
１          冷却式保存庫
２          ルーバー
３          仕切り板
４          機械室
５          凝縮器
６          冷却ファン
７          空気フィルター
８          脚
１０        側面ダクト
１２        空気フィルター
１４        冷却ファン
１６        天井ダクト
１７        天井ダクト
１８        モーター
１９        扉
２０        ガイドプレート
【図１】
0003708643.tif 000002
【図２】
0003708643.tif 000003
【図３】
0003708643.tif 000004
【図４】
0003708643.tif 000005